【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
アレイ状に複数の行および複数の列を構成するように配された複数の画素を含む撮像部と、制御部と、を含む放射線撮像装置であって、
前記複数の画素のそれぞれは、入射する放射線に応じた画像用信号を生成するための変換部および前記変換部で生成された画像用信号を保持するためのサンプルホールド回路を備え、
前記制御部は、
前記撮像部に１つのエネルギサブトラクション画像を生成するための第１の撮像および前記第１の撮像の後に行われる第２の撮像を行わせ、
予め設定された放射線の照射条件に応じて、前記第１の撮像によって取得される第１の画像用信号に含まれるノイズ量と前記第２の撮像によって取得される第２の画像用信号に含まれるノイズ量との差が小さくなるように、前記第１の撮像において前記複数の画素のそれぞれの前記サンプルホールド回路が前記第１の画像用信号をサンプリングするタイミングおよび前記第２の撮像において前記複数の画素のそれぞれの前記サンプルホールド回路が前記第２の画像用信号をサンプリングするタイミングを制御することを特徴とする放射線撮像装置。
【請求項２】
前記放射線の照射条件が、前記第１の撮像および前記第２の撮像における放射線のエネルギ値および放射線の照射時間を含むことを特徴とする請求項１に記載の放射線撮像装置。
【請求項３】
前記第１の撮像および前記第２の撮像が、１回の放射線の照射の間に行われることを特徴とする請求項１または２に記載の放射線撮像装置。
【請求項４】
前記放射線の照射条件が、放射線のエネルギの時間変化を含むことを特徴とする請求項１乃至３の何れか１項に記載の放射線撮像装置。
【請求項５】
前記放射線撮像装置は読出回路をさらに含み、
前記制御部は、前記複数の画素のそれぞれの前記サンプルホールド回路に保持された前記第１の画像用信号を前記第２の撮像を行う間に前記読出回路に読み出させることを特徴とする請求項１乃至４の何れか１項に記載の放射線撮像装置。
【請求項６】
前記制御部は、
前記第１の画像用信号のうち所定の領域の画像用信号の標準偏差に基づいて前記第１の画像用信号に含まれるノイズ量を決定し、
決定したノイズ量に応じて、前記第２の撮像における前記第２の画像用信号を前記複数の画素のそれぞれの前記サンプルホールド回路がサンプリングするタイミングを決定することを特徴とする請求項１に記載の放射線撮像装置。
【請求項７】
前記制御部は、前記第１の画像用信号のうち透過線量が少ない領域の画像用信号を前記所定の領域の画像用信号として用いることを特徴とする請求項６に記載の放射線撮像装置。
【請求項８】
前記第１の画像用信号および前記第２の画像用信号を前記複数の画素のそれぞれの前記サンプルホールド回路がサンプリングするタイミングが、所定の関係式に基づいて決定されることを特徴とする請求項１乃至７の何れか１項に記載の放射線撮像装置。
【請求項９】
前記放射線撮像装置は、信号処理部をさらに含み、
前記信号処理部は、エネルギサブトラクション画像を生成する際に前記第２の画像用信号に補正係数を適用し、
前記制御部は、補正係数が適用された前記第２の画像用信号のノイズ量が前記第１の画像用信号のノイズ量の１／３倍以上かつ３倍以下になるタイミングで、前記複数の画素のそれぞれの前記サンプルホールド回路が前記第１の画像用信号および前記第２の画像用信号をサンプリングするように制御することを特徴とする請求項１乃至８の何れか１項に記載の放射線撮像装置。
【請求項１０】
アレイ状に複数の行および複数の列を構成するように配された複数の画素を含む撮像部と、読出回路と、信号処理部と、制御部と、を含む放射線撮像装置であって、
前記複数の画素のそれぞれは、入射する放射線に応じた画像用信号を生成するための変換部および前記変換部で生成された画像用信号を保持するためのサンプルホールド回路を備え、
前記制御部は、
前記撮像部に、１回の放射線の照射中に複数回の撮像を行わせ、
前記複数回の撮像のそれぞれにおいて前記複数の画素のそれぞれの前記サンプルホールド回路がサンプリングした複数の画像用信号を、前記読出回路に読み出させ、
前記信号処理部は、
前記読出回路によって読み出された複数の画像用信号を、前記複数の画像用信号のそれぞれの放射線のエネルギの情報と、前記複数の画像用信号のそれぞれに含まれるノイズ量と、に応じて振り分け、それぞれ第１の画像用信号と第２の画像用信号とに合成し、
前記第１の画像用信号と、前記第２の画像用信号と、を用いてエネルギサブトラクション画像を生成することを特徴とする放射線撮像装置。
【請求項１１】
前記信号処理部は、
前記複数の画像用信号から前記第１の画像用信号および前記第２の画像用信号の複数の組み合わせを生成し、
前記複数の組み合わせから複数のエネルギサブトラクション画像を生成し、
前記複数のエネルギサブトラクション画像のうち含まれるノイズ量の最も小さい画像を前記信号処理部から出力することを特徴とする請求項１０に記載の放射線撮像装置。
【請求項１２】
前記信号処理部は、前記放射線のエネルギの情報として、前記複数の画像用信号のそれぞれの放射線のエネルギが高い部分と低い部分との差の順に応じて、前記複数の画像用信号を前記第１の画像用信号として合成される信号と前記第２の画像用信号として合成される信号とに振り分けることを特徴とする請求項１０または１１に記載の放射線撮像装置。
【請求項１３】
前記信号処理部は、前記放射線のエネルギの情報として、前記複数の画像用信号のそれぞれの放射線のエネルギが高い部分のエネルギ値の順に応じて、前記複数の画像用信号を前記第１の画像用信号として合成される信号と前記第２の画像用信号として合成される信号とに振り分けることを特徴とする請求項１０または１１に記載の放射線撮像装置。
【請求項１４】
前記信号処理部は、前記第１の画像用信号のノイズ量が前記第２の画像用信号のノイズ量の１／３倍以上かつ３倍以下になるように、前記複数の画像用信号を前記第１の画像用信号として合成される信号と前記第２の画像用信号として合成される信号とに振り分けることを特徴とする請求項１０乃至１３の何れか１項に記載の放射線撮像装置。
【請求項１５】
前記第１の画像用信号および前記第２の画像用信号のノイズ量が、所定の関係式に基づいて決定されることを特徴とする請求項１４に記載の放射線撮像装置。
【請求項１６】
前記第１の画像用信号および前記第２の画像用信号が、複数の画像用信号のうち前記第１の画像用信号および前記第２の画像用信号として合成される信号をそれぞれ平均化または加重平均化することによって生成されることを特徴とする請求項１０乃至１５の何れか１項に記載の放射線撮像装置。
【請求項１７】
請求項１乃至１６の何れか１項に記載の放射線撮像装置と、
放射線を照射するための放射線源と、
を含む放射線撮像システム。
【手続補正２】
【補正対象書類名】明細書
【補正対象項目名】０００６
【補正方法】変更
【補正の内容】
【０００６】
上記課題に鑑みて、本発明の実施形態に係る放射線撮像装置は、アレイ状に複数の行および複数の列を構成するように配された複数の画素を含む撮像部と、制御部と、を含む放射線撮像装置であって、複数の画素のそれぞれは、入射する放射線に応じた画像用信号を生成するための変換部および変換部で生成された画像用信号を保持するためのサンプルホールド回路を備え、制御部は、撮像部に１つのエネルギサブトラクション画像を生成するための第１の撮像および第１の撮像の後に行われる第２の撮像を行わせ、予め設定された放射線の照射条件に応じて、第１の撮像によって取得される第１の画像用信号に含まれるノイズ量と第２の撮像によって取得される第２の画像用信号に含まれるノイズ量との差が小さくなるように、第１の撮像において複数の画素のそれぞれのサンプルホールド回路が第１の画像用信号をサンプリングするタイミングおよび第２の撮像において複数の画素のそれぞれのサンプルホールド回路が第２の画像用信号をサンプリングするタイミングを制御することを特徴とする。